(57)【要約】【課題】本発明は、発注及び受注を効率的に行うことができる注文票を作成して印刷出力することである。【解決手段】制御部１０は、注文票作成処理において、まず画像データの出力を発注した発注者により提供された記憶メディアからメディア読込／書込部１３により出力対象の画像データを読み出させて取得する。次いで、発注者に関する発注者情報を操作入力させる入力画面を表示部１３に表示して、操作部１２から入力された発注者情報を取得する。そして、取得した出力対象の画像データのデータファイル毎にサムネイル画像を作成し、このサムネイル画像の一覧及び取得した発注者情報を記録した注文票データを作成して、プリント部１４により注文票を印刷出力させる。【選択図】　　　　　図１
2004062413.tif 000002
【特許請求の範囲】
【請求項１】
データの出力のための注文票を作成して印刷出力する注文票作成装置において、
出力対象のデータを取得する第１の取得手段と、
前記第１の取得手段により取得されたデータの出力の発注者に関する発注者情報を取得する第２の取得手段と、
前記第１の取得手段及び前記第２の取得手段により取得された出力対象のデータの一覧及び発注者情報を記録した注文票データを作成する作成手段と、
前記注文票データに基づいて注文票を印刷出力する印刷出力手段と、
を備えることを特徴とする注文票作成装置。
【請求項２】
前記作成手段は、前記発注者情報として、発注者の氏名、住所、電話番号、メールアドレス又はデータの出力サービスにおけるサービス会員番号のうち、一つ以上を記録した注文票データを作成することを特徴とする請求項１に記載の注文票作成装置。
【請求項３】
前記作成手段は、前記発注者情報をバーコード化して記録した注文票データを作成することを特徴とする請求項１又は２に記載の注文票作成装置。
【請求項４】
前記作成手段は、前記データの出力方法として、印刷出力、コンピュータが読み取り可能な記憶媒体への書き込み又はデータを管理する管理装置へのアップロードの中から一の出力方法を選択する選択欄を記録した注文票データを作成することを特徴とする請求項１〜３の何れか一項に記載の注文票作成装置。
【請求項５】
前記出力対象のデータは、画像データであることを特徴とする請求項１〜４の何れか一項に記載の注文票作成装置。
【請求項６】
データの出力のための注文票において、
出力対象のデータの一覧及び当該データの出力の発注者に関する発注者情報が印刷出力されていることを特徴とする注文票。
【請求項７】
前記発注者情報は、発注者の氏名、住所、電話番号、メールアドレス又はデータの出力サービスにおけるサービス会員番号のうち、一つ以上が印刷出力されていることを特徴とする請求項６に記載の注文票。
【請求項８】
前記発注者情報は、バーコード化されて印刷出力されていることを特徴とする請求項６又は７に記載の注文票。
【請求項９】
前記データの出力方法として、印刷出力、コンピュータが読み取り可能な記憶媒体への書き込み又はデータを管理する管理装置へのアップロードの中から一の出力方法を選択する選択欄が印刷出力されていることを特徴とする請求項６〜８の何れか一項に記載の注文票。
【請求項１０】
前記出力対象のデータは、画像データであることを特徴とする請求項６〜９の何れか一項に記載の注文票。
【発明の詳細な説明】
【０００１】
【発明の属する技術分野】
本発明は、データの出力のための注文票を作成して印刷出力する注文票作成装置及び注文票に関する。
【０００２】
【従来の技術】
従来、写真画像の焼き増しを行う際には、顧客がネガシートに包装されたネガフィルムにより画像を確認し、ネガシート上のプリントしたい画像のコマ位置にプリント枚数を記入して、そのネガシートをフォトサービスを提供している写真専門店や取次店の店頭に持って行き、プリント発注することが多い。
【０００３】
【発明が解決しようとする課題】
しかしながら、ネガシートの中でネガフィルムが動いて画像のコマ位置がずれてしまう場合があり、顧客がプリントしたい画像ではない画像をプリントしてしまうという問題があった。このような問題を解決するために、特開平１０−１６１２４８号公報では、プリント候補の画像を一覧表示し、その画像毎に画像を特定する検索ＩＤ情報を印刷した注文票を用いることにより、画像を取り違えることなくプリント注文を受け付けるという技術が開示されている。
【０００４】
しかし、特開平１０−１６１２４８号公報に開示の技術では、多くの顧客により大量に発注が行われた場合、どの注文票がどの顧客のものであるかを照合することに手間がかかって煩雑であり、注文票自体を取り間違えてしまう可能性がある。また、発注をした顧客がその発注を受け付けた店舗が展開するフォトサービスの会員か、非会員かにより料金体系が異なる場合には、プリントからプリント料金の設定までを自動化することは困難であり、煩雑な作業が伴うこととなっていた。
【０００５】
さらに、一般に、結婚式や同窓会等で撮影された写真画像の焼き増しを行う場合は、その幹事や代表者が各出席者の住所や電話番号等の個人情報が記載されている名簿を用意していることが多く、各出席者から注文内容を取りまとめて発注を行い、プリントされた写真画像を名簿の住所に送付することが行われている。しかしながら、これでは代表者の負担が大きく、注文内容を取りまとめたり、プリントされた画像を注文した出席者毎に分類したりする等、煩雑な作業が伴っていた。
【０００６】
本発明は、発注及び受注を効率的に行うことができる注文票を作成して印刷出力することである。
【０００７】
【課題を解決するための手段】
請求項１に記載の発明は、
データの出力のための注文票を作成して印刷出力する注文票作成装置において、
出力対象のデータを取得する第１の取得手段と、
前記第１の取得手段により取得されたデータの出力の発注者に関する発注者情報を取得する第２の取得手段と、
前記第１の取得手段及び前記第２の取得手段により取得された出力対象のデータの一覧及び発注者情報を記録した注文票データを作成する作成手段と、
前記注文票データに基づいて注文票を印刷出力する印刷出力手段と、
を備えることを特徴としている。
【０００８】
請求項５に記載の発明は、請求項１〜４の何れか一項に記載の注文票作成装置において、
前記出力対象のデータは、画像データであることを特徴としている。
【０００９】
この請求項１、５に記載の発明によれば、出力対象の画像データの一覧とともに発注者情報を記録した注文票を作成して印刷出力するので、発注時には発注者が発注者情報を注文票に記入する煩雑な作業を省略することができるとともに、受注時には注文票がどの発注者のものかすぐに把握することができ、発注及び受注を効率的に行うことができる。
【００１０】
請求項２に記載の発明は、請求項１に記載の注文票作成装置において、
前記作成手段は、前記発注者情報として、発注者の氏名、住所、電話番号、メールアドレス又はデータの出力サービスにおけるサービス会員番号のうち、一つ以上を記録した注文票データを作成することを特徴としている。
【００１１】
この請求項２に記載の発明によれば、発注者情報として、氏名、住所、電話番号、メールアドレス又はサービス会員番号のうち、一つ以上を記録した注文票データを作成するので、発注者の特定が容易になるとともにその発注者の連絡先、サービス会員の有無を容易に把握することができる。
【００１２】
請求項３に記載の発明は、請求項１又は２に記載の注文票作成装置において、
前記作成手段は、前記発注者情報をバーコード化して記録した注文票データを作成することを特徴としている。
【００１３】
この請求項３に記載の発明によれば、発注者情報をバーコード化するので、注文票により受注する際には、バーコードを読み取るだけで容易に発注者情報を取得することができ、より効率的に受注を行うことができる。
【００１４】
請求項４に記載の発明は、請求項１〜３の何れか一項に記載の注文票作成装置において、
前記作成手段は、前記データの出力方法として、印刷出力、コンピュータが読み取り可能な記憶媒体への書き込み又はデータを管理する管理装置へのアップロードの中から一の出力方法を選択する選択欄を記録した注文票データを作成することを特徴としている。
【００１５】
この請求項４に記載の発明によれば、データの出力方法を選択する選択欄を記録した注文票データを作成するので、発注者の意図する出力方法でデータを出力することができる。
【００１６】
請求項６に記載の発明は、
データの出力のための注文票において、
出力対象のデータの一覧及び当該データの出力の発注者に関する発注者情報が印刷出力されていることを特徴とする注文票。
【００１７】
請求項１０に記載の発明は、請求項６〜９の何れか一項に記載の注文票において、
前記出力対象のデータは、画像データであることを特徴としている。
【００１８】
この請求項６、１０に記載の発明によれば、出力対象の画像データの一覧とともに発注者情報が印刷出力された注文票であるので、発注時には発注者が発注者情報を注文票に記入する煩雑な作業を省略することができるとともに、受注時には注文票がどの発注者のものかすぐに把握することができ、発注及び受注を効率的に行うことができる。
【００１９】
請求項７に記載の発明は、請求項６に記載の注文票において、
前記発注者情報は、発注者の氏名、住所、電話番号、メールアドレス又はデータの出力サービスにおけるサービス会員番号のうち、一つ以上が印刷出力されていることを特徴としている。
【００２０】
この請求項７に記載の発明によれば、発注者情報として、氏名、住所、電話番号、メールアドレス又はサービス会員番号のうち、一つ以上を印刷出力した注文票であるので、発注者の特定が容易になるとともにその発注者の連絡先、サービス会員の有無を容易に把握することができる。
【００２１】
請求項８に記載の発明は、請求項６又は７に記載の注文票において、
前記発注者情報は、バーコード化されて印刷出力されていることを特徴としている。
【００２２】
この請求項８に記載の発明によれば、発注者情報がバーコード化されて印刷出力された注文票であるので、注文票により受注する際には、バーコードを読み取るだけで容易に発注者情報を取得することができ、より効率的に受注を行うことができる。
【００２３】
請求項９に記載の発明は、請求項６〜８の何れか一項に記載の注文票において、
前記データの出力方法として、印刷出力、コンピュータが読み取り可能な記憶媒体への書き込み又はデータを管理する管理装置へのアップロードの中から一の出力方法を選択する選択欄が印刷出力されていることを特徴としている。
【００２４】
この請求項９に記載の発明によれば、データの出力方法を選択する選択欄が印刷出力された注文票であるので、発注者の意図する出力方法でデータを出力することができる。
【００２５】
【発明の実施の形態】
以下、図を参照して本発明の実施の形態を詳細に説明する。
まず、構成を説明する。
図１は、本実施の形態における注文票作成装置１の機能的構成を示すブロック図である。
図１において、注文票作成装置１は、制御部１０、操作部１１、表示部１２、メディア読込／書込部１３、プリント部１４、記憶部１５、通信部１６、スキャナ１７から構成され、各部はバス１８により接続される。
【００２６】
制御部１０は、ＣＰＵ（Ｃｅｎｔｒａｌ　Ｐｒｏｃｅｓｓｉｎｇ　Ｕｎｉｔ）やＲＡＭ（Ｒａｎｄｏｍ　ＡｃｃｅｓｓＭｅｍｏｒｙ）等により構成される。制御部１０のＣＰＵは、記憶部１５に格納されている注文票作成装置１用の各種制御プログラムを読み出してＲＡＭ内のワークエリアに展開し、当該プログラムに従った処理を実行し、その処理結果をＲＡＭに格納するとともに表示部１２に表示させ、ＲＡＭに格納した処理結果を記憶部１５の所定の保存先に保存させる。
【００２７】
具体的には、制御部１０は、記憶部１５から注文票作成処理プログラム、画像出力処理プログラムを読み出して後述する注文票作成処理、画像出力処理を実行する。
制御部１０は、注文票作成処理において、まず画像データの出力を発注した発注者により提供された記憶メディアからメディア読込／書込部１３により出力対象の画像データを読み出させて取得する。次いで、発注者に関する発注者情報を操作入力させる入力画面を表示部１３に表示して、操作部１２から入力された発注者情報を取得する。そして、取得した出力対象の画像データのデータファイル毎にサムネイル画像を作成し、このサムネイル画像の一覧及び取得した発注者情報を記録した注文票データを作成して、プリント部１４により注文票を印刷出力させる。
【００２８】
また、制御部１０は、画像出力処理において、まずスキャナ１７により発注者により提出された注文票をスキャンして、注文票を特定する注文Ｎｏ．及び発注者の会員Ｎｏ．の情報を入力する。次いで、注文票に記入されている注文内容を入力する入力画面を表示部１３に表示させて、操作部１２により注文内容を入力して認識する。次いで、認識した注文内容に基づいて画像データを出力し、その注文内容に応じたサービス料金を算出して、注文内容及びサービス料金が記録されたレシートをプリント部１４によりプリントさせる。
【００２９】
すなわち、制御部１０は、本発明の請求項に記載した作成手段としての機能を有する。
【００３０】
操作部１１は、数字キー、カーソルキー、各種機能キー等を備え、押下されたキーに対応する押下信号を制御部１０に出力する。なお、操作部１１は、必要に応じてマウス、タッチパネル等のポインティングディバイスや、その他の操作入力装置を備えることとしてもよい。すなわち、操作部１１は、本発明の請求項に記載した第２の取得手段としての機能を有する。
【００３１】
表示部１２は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成された表示画面を有し、制御部１０の指示に従って各種処理結果や操作部２からの操作指示、メディア読込／書込部１３により記憶メディアから読み出した画像データ等の各種表示データを表示する。
【００３２】
メディア読込／書込部１３は、例えばデジタルカメラ用の記憶メディアであるメモリスティック（登録商標）、スマートメディア（登録商標）、コンパクトフラッシュ（登録商標）、マルチメディアカード（登録商標）、ＳＤメモリカード（登録商標）等のカード状又はスティック状の半導体メモリからなる記憶メディアや、ＣＤ−Ｒ（ＣＤ−Ｒｅｃｏｒｄａｂｌｅ）、ＤＶＤ−Ｒ（ＤＶＤ−Ｒｅｃｏｒｄａｂｌｅ）等の光学的記憶メディア、ＭＯ（Ｍａｇｎｅｔｏ　Ｏｐｔｉｃａｌ　Ｄｉｓｋ）、フロッピー（登録商標）ディスク等の光磁気、磁気的記憶メディア等の各種記憶メディアを注文票作成装置１に着脱可能なスロットを備え、制御部１０の読出指示に従って、スロットに装着された記憶メディアに記憶されているデータを読み出す。また、メディア読込／書込部１３は、コンピュータが読み取り可能であり、データの書き込みが可能な記憶メディアに、制御部１０により書込指示されたデータを書き込む。すなわち、メディア読込／書込部１３は、本発明の請求項で記載した第１の取得手段としての機能を有する。
【００３３】
プリント部１４は、制御部１０の印刷指示に従って、注文票を印刷出力する。プリント部１４における印刷方式は、インクジェット方式、熱転写方式、レーザー方式、昇華型方式、ＴＡ方式等の何れの方式も適用可能である。また、注文票を印刷出力する印刷用紙は、連続用紙（ロール用紙）、単票用紙（カット紙）の何れも適用可能であり、必要事項が予め印刷されているものであってもよい。すなわち、プリント部１４は、本発明の請求項に記載した印刷出力手段としての機能を有する。
【００３４】
記憶部１５は、プログラムやデータ等が予め記憶されているＨＤ（Ｈａｒｄ　Ｄｉｓｋ）等を備え、このＨＤに注文票作成装置１で実行可能な各種制御プログラム及び各種制御プログラムで処理されたデータ等を記憶する。なお、プログラムはコンピュータが読み取り可能なプログラムコードにより記述されているとする。
【００３５】
また、記憶部１５は、画像データを記憶する画像記憶領域を有し、制御部１０の指示に従って入力された画像データのデータファイルをこの画像記憶領域に記憶する。
【００３６】
通信部１６は、モデム、ターミナルアダプタ、ＬＡＮアダプタ等によって構成され、電話回線、ＩＳＤＮ回線又は専用線等の各種通信回線を介して、ネットワーク上の外部機器（例えば、他の注文票作成装置や顧客のパーソナルコンピュータ、画像データの管理を行う管理サーバ等）と通信を行うための通信制御を行う。なお、通信部１６は、ＵＳＢ（Ｕｎｉｖｅｒｓａｌ　Ｓｅｒｉａｌ　Ｂｕｓ）等のインターフェイスを備えて、例えばデジタルカメラ等の外部機器と接続して互いにデータの送受信を行い、画像データを受信することとしてもよい。すなわち、通信部１６は、本発明の請求項に記載した第１の取得手段、第２の取得手段としての機能を有する。
【００３７】
スキャナ１７は、透明なコンタクトガラスの下部に光源やＣＣＤ（Ｃｈａｒｇｅ　Ｃｏｕｐｌｅｄ　Ｄｅｖｉｃｅ）等を備え、コンタクトガラスに載置された原稿の画像データを読み取る。詳細には、原稿を光源からの照明により走査し、その反射光をＣＣＤにより受光して光電変換し、画像信号を生成する。
【００３８】
次に、本実施の形態の動作を説明する。
図２は、注文票作成装置１の制御部１０により実行される注文票作成処理を説明するためのフローチャートである。説明の前提として、例えば画像データの出力サービスであるフォトサービスを提供する店舗の店員等、注文票を作成する注文票作成者が、画像データの出力を発注する発注者から出力対象の画像データが保存されている記憶メディアを受け取って注文票発行の申し込みを受け、注文票作成装置１を操作して注文票作成処理の開始を指示したものとする。
【００３９】
図２において、まず制御部１０は、メディア読込／書込部１３により、発注者により提出された、例えばデジタルカメラ用の各種記憶メディアやＣＤ等の記憶メディアから出力対象の画像データを読み取らせて取得する（ステップＳ１）。なお、画像データは、通信部１４によりネットワーク上の管理サーバやＵＳＢ接続されたデジタルカメラ等から指定された画像データを受信して取得することとしてもよい。そして、制御部１０は、取得した画像データをデータファイルとして記憶部１５に記憶させ、各画像データファイルに対してファイル番号を付与する。
【００４０】
次いで、制御部１０は、発注者に関する情報、例えば発注者の名前、住所、電話番号、ＦＡＸ番号、Ｅメールアドレス、所属している法人名等の個人情報や、発注を受け付けている店舗で提供しているフォトサービスの会員番号等の各種発注者情報を入力する入力画面を表示部１２に表示させ、注文票作成者により操作部１２から操作入力された発注者情報を取得する（ステップＳ２）。さらに、このとき、発注者情報とともに出力対象の画像データに対するタイトル名を操作入力させる。なお、結婚式や同窓会等で撮影された画像データの出力をその代表者が申し込み、出席者全員に対して注文票を作成する場合は、代表者が持っている出席者名簿等に記載されている複数人の個人情報を発注者情報として取得することとしてもよい。また、通信部１４により発注者のパーソナルコンピュータ等の外部機器と通信を行い、発注者情報を取得することとしてもよいし、発注者がフォトサービス会員で有る場合は、その会員番号で登録されている発注者情報を取得することとしてもよい。
【００４１】
次いで、制御部１０は、取得した画像データの一覧及び発注者情報を記録した注文票データを作成する（ステップＳ３）。制御部１０は、この注文票データの作成において、記憶部１５に記憶させた出力対象の各画像データファイルに対して、注文票に画像の一覧印刷を行うために、画像データファイル毎にサムネイル画像を作成する。また、作成した注文票データを特定するための管理番号を発行し、この管理番号、画像データファイルのファイル番号及び発注者情報にフォトサービス会員番号が有る場合はその会員番号をバーコード化する。なお、ステップＳ２で、出力対象の画像データに対して、複数の発注者の発注者情報を取得している場合は、その複数の発注者毎にそれぞれの発注者情報を記録した注文票データを作成する。
【００４２】
次いで、制御部１０は、作成した注文票データに基づいて、プリント部１４から注文票を印刷出力させ（ステップＳ４）、注文票作成処理を終了する。
【００４３】
以下に、注文票作成処理において作成された注文票について詳細に説明する。
図３に、印刷出力された注文票αの一例を示す。注文票αは、図３に示すように、上部左側には、「受付日」、「注文Ｎｏ．」、「法人名」、「お名前」、「ＴＥＬ」、「Ｅ−ｍａｉｌ」、「会員Ｎｏ．」の各項目が設けられ、上部右側には、「有効期間」、「取次店」、「ＴＥＬ」、「住所」の各項目が設けられている。
【００４４】
「受付日」の項目には、注文票αを発行した日が印刷され、「注文Ｎｏ．」の項目には、注文票αに対して発行された管理番号が印刷される。また、注文票αの上部右側には注文Ｎｏ．である管理番号をバーコード化した、バーコードｘが印刷される。
【００４５】
また、「法人名」の項目には、発注者が法人に属している場合にその法人名が印刷され、「お名前」の項目には発注者の氏名が、「ＴＥＬ」の項目には発注者の電話番号が、「Ｅ−ｍａｉｌ」の項目には発注者のＥメールアドレスが印刷される。そして、「会員Ｎｏ．」の項目には、発注者がフォトサービスの会員である場合にその会員番号が印刷され、さらに会員番号をバーコード化したバーコードｙが印刷される。これらの発注者に関する情報の項目は、ステップ３で取得された発注者情報に基づいて印刷される。
【００４６】
また、「有効期間」の項目には、発注の有効期間が印刷され、「取次店」、「ＴＥＬ」、「住所」の項目には、それぞれ注文票αを発行した店舗の店名、電話番号、住所が印刷される。
【００４７】
さらに、注文票αの上部中央には、配送先、お名前、住所、電話番号の配送先情報の記入欄が設けられ、画像データを出力したプリント画像又は記憶メディア等の出力物を発注者に配送する場合にその配送先の情報を記入することができるようになっている。なお、発注者とは異なる人の配送先情報を記入することにより発注者とは異なる人にも画像データの出力物を配送することが可能である。
【００４８】
また、注文票αの上部には、各種注文方法を選択する注文方法選択欄が設けられ、発注者が来店して注文する「来店」、注文票をＦＡＸ送信して注文する「ＦＡＸ」、ウェブ上のホームページで注文する「Ｗｅｂ」、メールにより注文を行う「ｅ−ｍａｉｌ」、電話により注文を行う「電話」等の選択項目が印刷され、各選択項目には注文方法の簡単な説明が印刷される。また、注文方法選択欄の右側には、フォトサービスに対するサービス料金の支払い方法を選択する支払方法選択欄が設けられ、発注者が来店して支払う「来店決済」、指定された銀行に料金を振り込む「銀行振り込み」、郵便振り替えで支払う「郵便振替」、所定期間毎に一括して法人団体から支払いを行う「法人処理」等の選択項目が印刷出力される。また、料金の支払先が有る選択項目にはその支払先の情報が印刷される。
【００４９】
また、注文方法選択欄の下部には、サービス情報として例えば、画像データを印刷出力する「焼き増し」、画像データをネットワーク上の管理サーバにアップロードして電子アルバムを作成する「アルバム」、コンピュータが読み取り可能な記憶メディアに画像データを書き込む「ＣＤ−Ｒ作成」等、画像データの出力方法を選択する選択欄が印刷出力されている。なお、図３に示した出力方法以外に、シールプリント、マグカップへの画像データの印刷出力、ネットワーク上の管理サーバへ画像データをアップロードして携帯電話の壁紙を作成する等、他の出力方法であってもよい。
そして、サービス情報の選択欄の下部には、ステップＳ３で取得した、出力対象の画像データに対するタイトル名が印刷される。
【００５０】
さらに、注文票αには、ステップＳ１で取得した画像データのサムネイル画像が一覧印刷され、サムネイル画像毎にそのファイル番号が印刷されている。なお、注文票α上に印刷されるサムネイル画像は、カラーでもモノクロでもよい。また、サムネイル画像をカラー印刷するか否かを操作部１１から指定できるようにしてもよい。
【００５１】
また、各サムネイル画像の下部には、プリントサイズ（例えばＬ、２Ｌ等）の選択欄及びＣＤ−Ｒへの書き込みの有無を指定する指定欄が設けられるとともに、プリント枚数の記入欄が設けられている。また、サムネイル画像を特定するためのファイル番号のバーコードが印刷される。
【００５２】
また、注文票αの下部には、例えば「注文店舗に来店」、「別店舗に来店（この場合、受け取り可能な他店舗を選択可能に表示することが好ましい）」、「宅配便」、「郵送」等、画像データを出力したプリント画像や記憶メディア等の出力物の受け取り方法を選択する選択欄が設けられる。ここで、手数料が発生する受け取り方法が有る場合は、その選択項目に手数料についての簡単な説明を印刷することが好ましい。そして注文票αの下部右側には、フォトサービスを提供する店舗を示すロゴマークが印刷される。
【００５３】
次に、図４のフローチャートを参照して、注文票により出力を発注された画像データを注文内容に応じて出力する画像出力処理を説明する。説明の前提として、発注者により注文内容が記入された注文票がフォトサービスを提供する店舗に提出され、店舗の店員により画像出力処理が開始されたこととする。
【００５４】
図４において、まず制御部１０は、スキャナ１７により発注者により提出された注文票をスキャンして、注文票を特定するバーコードを読み取って注文Ｎｏ．の情報を入力するとともに、発注者がフォトサービス会員であり、会員Ｎｏ．の項目にその会員番号を示すバーコードが記入されている場合は、会員番号のバーコードを読み取って会員Ｎｏ．の情報を入力する（ステップＳ１０１）。
【００５５】
そして、制御部１０は、例えば注文方法、サービス料金の支払い方法、利用するサービス、出力指定された画像データを示すバーコード又はファイル番号、ＣＤ−Ｒへの書き込みの有無、プリント枚数、プリントサイズ、画像データを出力した出力物の受け取り方法、その配送先等の各種注文内容を入力させる入力画面を表示部１２に表示させ、店員は注文票に記入されている注文内容を操作部１１により入力する。制御部１０は、操作部１１から注文内容を入力し（ステップＳ１０２）、入力された注文内容を認識する。
【００５６】
なお、注文票をスキャナ１７によりスキャンし、制御部１０がＯＣＲ（Ｏｐｔｉｃａｌ　Ｃｈａｒａｃｔｅｒ　Ｒｅｃｏｇｎｉｔｉｏｎ）機能により、注文票に記入されている注文Ｎｏ．、会員Ｎｏ．、注文内容等の各種注文情報を一括して読み取って認識することとしてもよい。
【００５７】
次いで、制御部１０は、入力した注文内容に基づいて画像データを出力する（ステップＳ１０３）。ここで、画像データをＣＤ−Ｒに書き込む出力方法のサービスを注文されている場合は、メディア読込／書込部１３によりＣＤ−Ｒへ出力指定された画像データを書き込み、画像データを印刷出力する出力方法のサービスを注文されている場合は、指定されているプリントサイズ、プリント枚数でプリント部１４により印刷出力する。また、画像データをネットワーク上の管理サーバにアップロードする出力方法で電子アルバムを作成するサービスを注文されている場合は、出力指定された画像データを通信部１６により管理サーバに送信してアップロードする。
【００５８】
次いで、制御部１０は、注文内容に応じたフォトサービスのサービス料金を算出し、発注者がサービス会員で有る場合は、会員料金でサービス料金を算出する（ステップＳ１０４）。次いで、制御部１０は、ＣＤ−Ｒへの書き込みや印刷出力等、利用したフォトサービス名とそのサービス料金、さらにＣＤ−Ｒへ書き込んだ場合は出力した画像データのデータ容量、印刷出力した場合は印刷出力した画像データのファイル番号、プリント枚数、プリントサイズ等、各種注文内容を記録したレシートデータを作成し、プリント部１４によりレシートをプリントさせて、画像出力処理を終了する。
【００５９】
以上のように、予め画像データの出力を発注する発注者に関する発注者情報を取得しておき、各画像データの一覧とともに取得した発注者情報を記録した注文票を印刷出力するので、発注時には、発注者により出力指定された画像データを正確に特定することができるとともに、発注者による発注者情報の記入が不要となって容易に画像出力の注文を行うことができ、効率的に発注を行うことができる。また、受注時には、どの注文票がどの発注者のものかをすぐに把握することができ、混乱を招くことなく効率的に受注することが可能となる。
【００６０】
また、画像データファイルのファイル番号や注文票の管理番号、発注者の会員番号等の注文情報をバーコード化した注文票を作成するので、受注時には、各種注文情報の入力が容易となり、受注を効率的に行うことができる。
【００６１】
さらに、注文方法、サービス料金の支払い方法、画像データの出力方法、画像データを出力した出力物の受け取り方法等、発注に関する注文内容を選択可能な選択欄が印刷出力された注文票を作成するので、発注者の意図する注文内容で発注を行うことができ、より発注者の意図に応じた、満足度の高い発注を行うことができる。
【００６２】
また、発注者がフォトサービス会員である場合はその会員番号を発注者情報として取得して注文票に記録するので、受注時には、サービス会員の有無を容易に把握することができるとともにその会員番号を読み取ることにより、会員料金でのサービス料金を自動的に算出することが可能となる。
【００６３】
【発明の効果】
請求項１、５に記載の発明によれば、出力対象の画像データの一覧とともに発注者情報を記録した注文票を作成して印刷出力するので、発注時には発注者が発注者情報を注文票に記入する煩雑な作業を省略することができるとともに、受注時には注文票がどの発注者のものかすぐに把握することができ、発注及び受注を効率的に行うことができる。
【００６４】
請求項２に記載の発明によれば、発注者情報として、氏名、住所、電話番号、メールアドレス又はサービス会員番号のうち、一つ以上を記録した注文票データを作成するので、発注者の特定が容易になるとともにその発注者の連絡先、サービス会員の有無を容易に把握することができる。
【００６５】
請求項３に記載の発明によれば、発注者情報をバーコード化するので、注文票により受注する際には、バーコードを読み取るだけで容易に発注者情報を取得することができ、より効率的に受注を行うことができる。
【００６６】
請求項４に記載の発明によれば、データの出力方法を選択する選択欄を記録した注文票データを作成するので、発注者の意図する出力方法でデータを出力することができる。
【００６７】
請求項６、１０に記載の発明によれば、出力対象の画像データの一覧とともに発注者情報が印刷出力された注文票であるので、発注時には発注者が発注者情報を注文票に記入する煩雑な作業を省略することができるとともに、受注時には注文票がどの発注者のものかすぐに把握することができ、発注及び受注を効率的に行うことができる。
【００６８】
請求項７に記載の発明によれば、発注者情報として、氏名、住所、電話番号、メールアドレス又はサービス会員番号のうち、一つ以上を印刷出力した注文票であるので、発注者の特定が容易になるとともにその発注者の連絡先、サービス会員の有無を容易に把握することができる。
【００６９】
請求項８に記載の発明によれば、発注者情報がバーコード化されて印刷出力された注文票であるので、注文票により受注する際には、バーコードを読み取るだけで容易に発注者情報を取得することができ、より効率的に受注を行うことができる。
【００７０】
請求項９に記載の発明によれば、データの出力方法を選択する選択欄が印刷出力された注文票であるので、発注者の意図する出力方法でデータを出力することができる。
【図面の簡単な説明】
【図１】本発明を適用した実施の形態の注文票作成装置１の機能的構成を示すブロック図である。
【図２】図１の制御部１０により実行される注文票作成処理を説明するためのフローチャートである。
【図３】注文票作成処理において作成された注文票αを示す図である。
【図４】図１の制御部１０により実行される画像出力処理を説明するためのフローチャートである。
【符号の説明】
１　　注文票作成装置
１０　　制御部
１１　　操作部
１２　　表示部
１３　　メディア読込／書込部
１４　　プリント部
１５　　記憶部
１６　　通信部
１７　　スキャナ
１８　　バス
【図１】
2004062413.tif 000003
【図２】
2004062413.tif 000004
【図３】
2004062413.tif 000005
【図４】
2004062413.tif 000006